(57)【要約】【課題】ユーザに対して最適な量の放射線を照射し、ラドンガス吸入を容易にすることにより健康増進効果を期待できる健康増進装置を提供する。【解決手段】本発明の健康増進装置は、カプセル本体部内に横たわった放射性タイルから微量な放射線が照射される。放射性タイルは、カプセル本体部の左右の内壁面に配列され、放射線は適量かつ満遍なくユーザに照射される。放射性タイルにウランやラジウム等を使用する場合、ユーザは放射性タイルに含有される天然ウランの崩壊過程で生じるラドンガスを呼吸器から吸入する。これにより、放射線ホルミシス効果が十分に発揮され、健康増進効果を期待できる。カプセル本体部内には、単一のユーザのみが入室可能であり、プライバシーや衛生上の問題も回避される。【選択図】図１
2009261483.tif 000002
【特許請求の範囲】
【請求項１】
ユーザが略横たわることが可能な空間を有するカプセル本体部を備え、
前記カプセル本体部の内部に、放射性部材が設けられていること
を特徴とする健康増進装置。
【請求項２】
前記カプセル本体部には、単一の前記ユーザが略横たわることが可能な空間を有する構成としたことを特徴とする請求項１に記載の健康増進装置。
【請求項３】
前記放射性部材は、前記ユーザが略横たわったときの身長方向に沿って設けられていることを特徴とする請求項１又は請求項２に記載の健康増進装置。
【請求項４】
前記放射性部材は、天然ウランを含有する材料を圧縮してなる放射性タイルであることを特徴とする請求項１乃至請求項３のうち、いずれか１に記載の健康増進装置。
【請求項５】
前記カプセル本体部の壁部は、パラフィンを含む繊維強化プラスチックによる多層構造をなしていることを特徴とする請求項１乃至請求項４のうち、いずれか１に記載の健康増進装置。
【発明の詳細な説明】
【技術分野】
【０００１】
本発明は、健康増進装置に関し、特に、放射線ホルミシス効果を利用した健康増進装置に関する。
【背景技術】
【０００２】
従来、人体にとって放射線は有害なものと考えられてきた。しかしながら、近年では、ミズ−リ大学のトーマス・Ｄ・ラッキ−生化学教授らにより、微量の放射線の照射が人体にとって有用な生理的刺激作用をもたらす効果（放射線ホルミシス効果）があるという研究結果が発表されている。具体的には、放射線ホルミシス効果によって、抗酸化酵素の増加、細胞膜の若返り、各種ホルモンの増加といった生理的刺激作用が見込まれ、癌をはじめとして、糖尿病、リウマチ、アトピーなど、現代人が抱える多くの難病や生活習慣病の改善効果が期待されている。
【０００３】
放射線ホルミシス効果は、微量の放射線を人体に照射したり、放射性物質の崩壊系列において生じるラドンガスを呼吸器から吸入することにより得ることができる。一般に広く知られるラドン浴は、ラドンガスを呼吸器から吸入し放射線ホルミシス効果を得て抗酸化酵素の増加等を促し、健康増進を図ろうとする古来よりの民間健康療法である。
【０００４】
このような放射線ホルミシス効果を用いた健康増進装置として、例えば特許文献１に記載の健康増進用空間施設がある。この施設では、複数のユーザが体操などを行うに十分な広さの断熱箱体内に遠赤外線放射ユニットと低線量放射ユニットとを配置し、箱体内を遠赤外線と低レベルの放射線とマイナスイオンとを充満させるようになっている。
【０００５】
【特許文献１】特開２００７−３１９４２７号公報
【発明の開示】
【発明が解決しようとする課題】
【０００６】
しかしながら、上述した従来の施設のように、複数のユーザが同時に入室できるような場合、プライバシーや衛生上の問題があった。また、放射性部材としてウランやラジウム等を含む放射性部材を使用する場合であっても、ウラン崩壊過程で生じるラドンガスは質量が重く底部に滞留するため、立位又は座位ではユーザがラドンガスを呼吸器から吸入することは困難であり、放射線ホルミシス効果を効率よく得ることができないなどの問題があった。そのため、これらの問題を解決可能なカプセル型の健康増進装置の開発が求められていたが、ユーザに対して最適な量の放射線を照射するための構成を改めて工夫する必要があった。
【０００７】
本発明は、上記課題の解決のためになされたものであり、ユーザに対して最適な量の放射線の照射や、呼吸器からのラドンガスの吸入を可能にすることにより健康増進効果を期待できる健康増進装置を提供することを目的とする。
【課題を解決するための手段】
【０００８】
上記課題を解決するため、本発明に係る健康増進装置は、ユーザが略横たわることが可能な空間を有するカプセル本体部を備え、前記カプセル本体部の内部に、放射性部材が設けられていることを特徴としている。
【０００９】
また、本発明に係る健康増進装置の前記カプセル本体部には、単一の前記ユーザが略横たわることが可能な空間を有する構成としたことを特徴とする。
【００１０】
また、本発明に係る健康増進装置の前記放射性部材は、前記ユーザが略横たわったときの身長方向に沿って設けられていることを特徴とする。
【００１１】
また、本発明に係る健康増進装置の前記放射性部材は、天然ウランを含有する材料を圧縮してなる放射性タイルであることを特徴とする。
【００１２】
また、本発明に係る健康増進装置の前記カプセル本体部の壁部は、パラフィンを含む繊維強化プラスチックによる多層構造をなしていることを特徴とする。このような構成により、カプセル本体部の壁部において、α線、β線及びγ線をほぼ確実にブロックすることが可能となる。
【発明の効果】
【００１３】
本発明に係る健康増進装置によれば、カプセル本体部内に横たわったユーザに向けて放射性部材から微量な放射線が照射される。特に、放射性部材は、カプセル本体部の内部にユーザの身長方向に沿って設けられており、放射線は適量かつ満遍なくユーザに照射されることとなる。さらに、ウラン崩壊過程で生じるラドンガスは底部付近に滞留するため、前記ユーザが略横たわって頭部を底部に接することにより、呼吸器からラドンガスを吸入することが容易となる。したがって、この健康増進装置では、放射線によるホルミシス効果が十分に発揮され、健康増進効果を期待できる。また、カプセル本体部内には、特に単一のユーザが入ることが可能となっているので、プライバシ−や衛生上の問題も回避される。また、カプセル本体部の壁部は、パラフィンを含む繊維強化プラスチックによる多層構造をなしていることにより、装置外部への放射線の漏洩を回避できる。また、カプセル内部での放射線量の変動が抑えられる。
【発明を実施するための最良の形態】
【００１４】
以下、図面を参照しながら、本発明に係る健康増進装置の好適な実施形態について詳細に説明する。
【００１５】
図１は、本発明に係る健康増進装置の一実施形態を示す斜視図、図２は、図１に示した健康増進装置の正面図、図３はその幅方向から見た側面図、図４は長手方向から見た側面図である。図１〜図４に示すように、健康増進装置１は、例えばパラフィンを含む繊維強化プラスチック樹脂（以下「ＦＲＰ樹脂」という。）によって形成された略直方体形状のカプセル本体部２を備えている。カプセル本体部２の寸法は、例えば長さ２０１０ｍｍ×幅８０６ｍｍ×奥行き８３６ｍｍとなっている。
【００１６】
カプセル本体部２の正面側は、緩やかなカーブで突出するドーム状をなしており、その一方側の略半分の領域には、内部空間Ｓ（図６参照）への出入口３が形成されている。出入口３には、例えばアクリル製の半透明のカバー４が取り付けられている。カバー４には、内部空間Ｓのエア抜き穴（図に示さず）が適宜設けられている。カバー４は、カプセル本体部２の長手方向にスライド可能であり、これにより、カプセル本体部２の出入口３の開閉がなされるようになっている。尚、スライド動作の便宜のために、カバー４の一端側に、例えばスチールパイプ製の取手（図に示さず）を設けてもよい。
【００１７】
カプセル本体部２の内部には、例えば、単体のユーザが略横たわることができる内部空間Ｓが設けられている。内部空間Ｓにおいて、カプセル本体部２の底部には、例えばビニール製のマット（図に示さず）が敷かれており、ユーザは、カバー４側を頭側としてマット上に横たわることができるようになっている。また、カプセル本体部２の内部には、内部空間Ｓの環境状態を計測し、ユーザの安全を確保する手段として、ラドン測定器、温度計、湿度計、非常ボタン、タイマーなどが設置されている。なお、本実施形態では、カプセル本体部２は、ユーザが水平かつ横一線に横たわることができるようになっているが、必ずしもこれに限定されるものではなく、例えば、カプセル本体部２への出入りが容易となるような傾斜がついた状態で横たわることができるような構成としたり、さらに数十分間同じ体勢をしても疲れないよう、膝部や腰部において若干の屈折をさせた状態で横たわることができるような構成としてもよく、適宜設定することが可能である。
【００１８】
カプセル本体部２の内部には、放射性部材が設けられている。図５は、図４におけるＡ−Ａ線に沿った断面図であって、放射性タイル６の配列の一例を示す図であり、図６（ａ）は図５におけるＢ−Ｂ線に沿った断面図であり、（ｂ）は図５におけるＣ−Ｃ線に沿った断面図であって、カプセル本体部２の内部構造を示した断面図である。より具体的には、図５及び図６に示すように、カプセル本体部２の左右の内壁面５、５に、天然ウランを含有する材料を圧縮してなる放射性タイル６（放射性部材）を配列したことにより、ユーザが略横たわったときの身長方向に沿って放射性部材を設けている。放射性タイル６は、微量の天然ウランを含んだ土を土砂などの他の材料と混合して圧縮したものであり、特段に加熱等を加えなくとも微量の放射線が発生するようになっている。各放射性タイル６は、例えば一辺が約１０ｃｍの正方形状をなし、厚さは約１．５ｃｍとなっている。放射性タイル６一枚当たりの放射線発生量は、およそ１．７Ｂｑ／ｈとなっている。なお、本実施形態では、放射性部材として天然ウランを含有する材料を圧縮してなる放射性タイル６を用いているが、必ずしもこれに限定されるものではなく、ラドン吸入による効果を意図しないのであればウランやラジウムを含まない他の放射性部材を採択してもよい。
【００１９】
放射性タイル６は、一例として、片方の内壁面５につき、カプセル本体部２の底面側から見て、下段に１３枚、上段に１２枚の計２５枚で上下２段に配列する。上段の１２枚の放射性タイル６は、カバー４寄りに配置されている。また、放射性タイル６は、内部空間Ｓ側から見て、内壁面５に露出した状態となっている。このような構成により、内部空間Ｓ内に横たわったユーザに対し、主たる臓器が集中する上半身に向けて効率良く放射性タイル６からの放射線が照射される。なお、本実施形態においては、内壁面５、５に放射性タイル６（放射性部材）を配置しているが、ユーザが略横たわったときの身長方向に沿っていればよいので、例えば、カプセル本体部２の内部の底部側に配置してもよく、特に限定されるものではない。また、本実施形態においては、分割された複数の放射性タイル６を用いているが、枚数、配列数、配列態様は限定されることはなく、１枚構成であってもよい。また、上記放射性タイル６は、内壁面５に凹部を設け面一になるように貼り付けてもよいし、内壁面５にそのまま貼着してもよい。
【００２０】
図７は、カプセル本体部２の壁部の構造を示した図である。図７に示すように、内部空間Ｓから外部への放射線の漏洩を防止する構造として、カプセル本体部２の側面部を構成する壁部７は、上述したパラフィン入りＦＲＰ樹脂による２層構造をなしている。それぞれのＦＲＰ樹脂の厚さは例えば２．５ｃｍであり、カプセル本体部２の壁部７の厚さは、合わせて５ｃｍ程度となっている。これにより、カプセル本体部２の壁部において、放射性タイル６から放出されるα線、β線及びγ線がほぼ確実にブロックされる。なお、本実施形態では、２層構造のものを説明したが、内部空間Ｓから外部への放射線の漏洩を防止することが好適な複層の構造を適宜採択することが可能である。
【００２１】
続いて、上述した構成を有する健康増進装置１の使用方法について説明する。
【００２２】
この健康増進装置１は、室内の所定の床面に対し、カバー４が上面側を向いた状態で載置される（図１参照）。ユーザの服装は、上着を脱いだ状態或いは浴衣などを着用した状態でよい。まず、ユーザは、取手を操作してカバー４を足元側にスライドさせ、カプセル本体部２の出入口３を開く。ユーザは、この出入口３からカプセル本体部２の内部空間Ｓに入り、カバー４側を頭側としてマット上に横たわる。その後、カバー４は、内部又は外部から閉じられる。
【００２３】
健康増進装置１の１回当たりの使用時間は、例えば５０分程度である。この間、カプセル本体部２内で横たわったユーザの体には、放射性タイル６によって生じる微量の放射線が体の両側から照射され、ユーザはタイル６に含まれるウラン崩壊過程で生じるラドンガスを吸入し続ける。この微量の放射線の照射及びラドンガスの吸入は、人体にとって有用な生理的刺激作用をもたらす効果、すなわち、放射線ホルミシス効果を生じさせ、ユーザの体内が活性化される。この体内の活性化により、体温の上昇及びこれに伴う発汗が生じる場合がある。使用時間が経過した後、カバー４が内部又は外部から開けられ、ユーザが出入口３からカプセル本体部２の外に出て使用が終了する。
【００２４】
以上説明したように、健康増進装置１では、カプセル本体部２内に横たわったユーザに向けて放射性タイル６から微量な放射線が照射され、ユーザは放射性タイル６に含まれるウランの崩壊過程で生じるラドンガスを呼吸器から吸入する。放射性タイル６は、カプセル本体部２の左右の内壁面５、５のそれぞれに配列されており、放射線は適量かつ満遍なくユーザに照射されることとなる。したがって、この健康増進装置１では、放射線ホルミシス効果が十分に発揮され、健康増進効果を期待できる。
【００２５】
具体的には、放射線ホルミシス効果によって、抗酸化酵素の増加、細胞膜の若返り、各種ホルモンの増加といった生理的刺激作用が見込まれ、癌をはじめとして、糖尿病、リウマチ、アトピーなど、現代人が抱える多くの難病や生活習慣病の改善効果が期待できる。カプセル本体部２内には、単一のユーザのみが入室可能となっているので、プライバシーや衛生上の問題も回避される。
【００２６】
また、健康増進装置１において、カプセル本体部２の壁部７は、パラフィンを含むＦＲＰ樹脂による２層構造をなしている。このような構成により、カプセル本体部２の壁部７において、α線、β線及びγ線をほぼ確実にブロックすることが可能となる。これにより、装置外部への放射線の漏洩を回避できる。また、カプセル内部での放射線量の変動が抑えられる。
【００２７】
本発明は、上記実施形態に限られるものではない。例えば放射性タイル６の一枚当たりの放射線発生量は、カプセル本体部２の内部空間Ｓの容量によって適宜変更してもよい。また、カプセル本体部２の壁部７の厚さについても、放射性タイル６の態様に合わせて適宜変更してもよい。さらに、カプセル本体部には、例えば２人等の少人数のユーザが略横たわることが可能な空間を有し、内部的に仕切り板等によって隔離できるようにしてもよい。カプセル本体部は、緩やかなカーブで突出するドーム状をなす本体部上部蓋部と、放射性部材が配列され、ユーザが略横たわる本体部下部箱体が一体的に形成されているものであってもよいし、カプセル本体部の上部蓋部と下部箱体はそれぞれ分離して形成し、組み合わせて使用されるものであってもよい。
【図面の簡単な説明】
【００２８】
【図１】本発明に係る健康増進装置の一実施形態を示す斜視図である。
【図２】図１に示した健康増進装置の正面図である。
【図３】図１に示した健康増進装置を幅方向から見た側面図である。
【図４】図１に示した健康増進装置を長手方向から見た側面図である。
【図５】図４におけるＡ−Ａ線に沿った断面図であって、放射性タイルの配列の一例を示す図である。
【図６】（ａ）は図５におけるＢ−Ｂ線に沿った断面図であり、（ｂ）は図５におけるＣ−Ｃ線に沿った断面図であって、カプセル本体部の内部構造を示した図である。
【図７】カプセル本体部の壁部の構造を示した断面図である。
【符号の説明】
【００２９】
１  健康増進装置
２  カプセル本体部
３  出入口
４  カバー
５  内壁面
６  放射性タイル（放射性部材）
７  壁部
Ｓ  内部空間
【図１】
2009261483.tif 000003
【図２】
2009261483.tif 000004
【図３】
2009261483.tif 000005
【図４】
2009261483.tif 000006
【図５】
2009261483.tif 000007
【図６】
2009261483.tif 000008
【図７】
2009261483.tif 000009